(57)【要約】      （修正有）【課題】瞬間的反応による打撃訓練を行うことができる、全方向模擬打撃練習機を提供する。【解決手段】回転部品６本体が弾性による回転揺動特性を備えることで、上端に接続された支持カップ１内の球体が２Ｄ或いは３Ｄの動きを呈して前後左右に往復揺動するとともに、外部嵌合パイプ外部の管状の重量ブロック４が重心の高低位置を調整制御することにより、球体を異なる往復揺動速度及び回転頻度に調節する。螺合部品ユニットＡ及び管状の重量ブロック４が選択的に回転部品６を遮蔽することによって、回転式打撃練習機と無回転式打撃練習機の両用機能を備える。支持カップ１両側に球体直径の二分の一以上の高さを有する両翼孤片１１，１３が上向きに延伸して設けられることで、球体を留めて往復揺動の遠心力を打ち消し、往復揺動を安定させ、球体が放り出されることを防止する効果を生じる。【選択図】図２
0003188578.tif 000002
【実用新案登録請求の範囲】
【請求項１】
支持カップと、上接続管と、下接続管と、重量ブロックと、止め輪と、螺合部品ユニットと、上部嵌合パイプと、回転部品と、下部嵌合パイプと、台座と、ストッパーリングとからなる、全方向模擬打撃練習機であって、
前記支持カップは、前後の下縁が球体直径の四分の一以下の高さであり且つ上向きに開口した円形の軟質支持カップであるとともに、前記支持カップの両側には、球体直径の二分の一以上の高さを有する両翼孤片が上向きに延伸して設けられ、且つ前記支持カップ下方に嵌め輪が延伸して設けられて上接続管頂端と連結され、
前記上接続管は、中空管体であるとともに、その上方に前記支持カップ下方の嵌め輪が挿し込まれて固定され、
前記下接続管は、中空管体であるとともに、その上方に前記上接続管が挿し込まれて固定され、
前記重量ブロックは、重厚なブロック体であるとともに、管状の内径孔を有し、且つ前記下接続管外径の管壁上に任意の位置にスライド可能に挿し嵌められ、
さらに前記重量ブロックの内径孔は、下端開口が上端開口よりもやや大きい円錐形内径管壁を形成することにより、下方に設けられた前記止め輪が挿し込まれて緊密に固定され、
前記止め輪は、中空管体であるとともに、前記止め輪孔が前記下接続管の外径管壁上に任意の位置にスライド可能に挿し込まれ、且つ前記止め輪上方に複数の傾斜弾性片が延伸して設けられることにより、前記重量ブロック下端開口が挿し込まれて緊密に固定され、
前記螺合部品ユニットは、ネジ山棒上にＣ字型係止リングが設けられてなり、
前記Ｃ字型係止リングは、外径が歯状面をなすとともに、内径管壁がネジ山をなし、
前記ネジ山棒は、上方の円頭外径が前記Ｃ字型係止リングの内径ネジ山管壁よりもやや大きいことにより、前記Ｃ字型係止リングが前記ネジ山棒にしっかりと係止され、
さらに前記Ｃ字型係止リングの外径は、前記下接続管の内径と等しく、
前記上部嵌合パイプは、中空管体であるとともに、その上方に前記螺合部品ユニットのネジ山棒下端が挿し込まれて固定され、
前記回転部品は、弾性部品であるとともに、その上端が上部嵌合パイプ下端に挿し込まれて固定され、
前記下部嵌合パイプは、中空管体であるとともに、その上方に前記回転部品下端が挿し込まれて固定され、
前記台座は、ホームベース形状の固定ブロックであるとともに、中央に設けられた嵌孔に前記下部嵌合パイプ下端が挿し込まれて固定され、
前記ストッパーリングは、嵌め輪であるとともに、前記下接続管外径上端の開口に設けられ、且つ前記上接続管と接続され、
さらに、
管状の前記重量ブロックは、重心位置を変えて球体の往復における異なる揺動速度及び回転頻度を調節するために、前記下接続管上における任意の高低位置に可動に設けられ、
前記支持カップは、その両側における両翼孤片上端に、球体を留めて往復揺動の遠心力を打ち消すことにより往復揺動を安定させて球体が放り出されることを防止するための、四つの留め片が設けられ、
以上の構造により、
使用者が異なる回転頻度及び異なる回転速度のボール経路に応じて打撃を行うことができることを特徴とする、全方向模擬打撃練習機。
【請求項２】
前記支持カップは、球体における打撃面積をより広く且つ適切に露出させることができるように、前後の下縁が球体直径の四分の一以下の高さであり且つ上向きに開口した円形の軟質支持カップをなすことを特徴とする、請求項１に記載の全方向模擬打撃練習機。
【請求項３】
さらに前記両翼孤片は、その上端における左右両側の適切な位置に、それぞれ二つの留め片が延伸して設けられることを特徴とする、請求項１に記載の全方向模擬打撃練習機。
【請求項４】
前記螺合部品ユニットは、ネジ山棒と、Ｃ字型係止リングとからなり、
前記ネジ山棒には、外径が歯状面を呈し且つ内径管壁にネジ山を有するＣ字型係止リングが嵌合され、
前記Ｃ字型係止リングは、外径の円周サイズが前記下接続管内径の円周サイズと等しく、
さらに前記螺合部品ユニットは、緩めたり締めたりして前記下接続管の高低位置を調節するために、回転可能に設けられることを特徴とする、請求項１に記載の全方向模擬打撃練習機。
【請求項５】
管状の前記重量ブロックは、内径孔を有する外部嵌合パイプであるとともに、回転部品を遮蔽するために下方へ可動に設けられることを特徴とする、請求項１に記載の全方向模擬打撃練習機。
【考案の詳細な説明】
【技術分野】
【０００１】
本考案は、野球の訓練機材に関し、特に、多様に変化して回転する野球ボールの動的経路、及び固定による無回転式の定点打撃という両用機能を有し、使用者が刺激に対して瞬間的に反応して打撃訓練を行うことができる、全方向模擬打撃練習機に関する。
【背景技術】
【０００２】
従来の野球用運動器具、例えば米国特許第ＵＳ７７０４１６８、ＵＳ６８８４１８５、ＵＳ２５２７９０６、ＵＳ７３０３４９４、ＵＳ６６１２９４３、及びＵＳ７２２６３７２号明細書に開示されている類似器材は、いずれも野球ボールを棒状部品上方に置いて静止させてから、使用者が手で上下の打球位置を調整した後、目で静止した野球ボールの位置を確認して、バットを振って球体を打撃するという娯楽性の打撃練習機である。しかし、このような静止した打撃点は、単純なスイング訓練しか行うことができず、実際の球場において一瞬のうちに高速で飛んでくる球体の位置、及び多様に変化する打球の位置に対する瞬間的な反応を効果的に実現するには至っていない。
【先行技術文献】
【特許文献】
【０００３】
【特許文献１】米国特許第ＵＳ７７０４１６８号明細書
【特許文献２】米国特許第ＵＳ６８８４１８５号明細書
【特許文献３】米国特許第ＵＳ２５２７９０６号明細書
【特許文献４】米国特許第ＵＳ７３０３４９４号明細書
【特許文献５】米国特許第ＵＳ６６１２９４３号明細書
【特許文献６】米国特許第ＵＳ７２２６３７２号明細書
【考案の概要】
【考案が解決しようとする課題】
【０００４】
そこで、本考案は、使用者が回転するボールの異なる動的経路に応じて、瞬間的に適切な反応をするとともにスイング打撃の最良のタイミングを訓練することができる、全方向模擬打撃練習機を提供することを目的とする。
【０００５】
また、本考案は、回転部品本体が弾性による回転揺動特性を備えることにより、上端に接続された支持カップ内の球体が２Ｄ或いは３Ｄの動きを呈して前後左右に往復揺動するとともに、管状の重量ブロックが重心の高低位置を調整制御することにより、球体を異なる往復揺動速度及び回転頻度に調節することができる、全方向模擬打撃練習機を提供することを目的とする。
【０００６】
また、本考案は、螺合部品ユニット及び管状の重量ブロックが選択的に回転部品を遮蔽することによって、回転式打撃練習機と無回転式打撃練習機という両用機能を備えることができる、全方向模擬打撃練習機を提供することを目的とする。
【課題を解決するための手段】
【０００７】
上述の目的を達成するため、本考案の全方向模擬打撃練習機は、支持カップと、上接続管と、下接続管と、管状の重量ブロックと、止め輪と、螺合部品ユニットと、回転部品と、下部嵌合パイプと、台座と、ストッパーリングとが組み合わされてなる。
【図面の簡単な説明】
【０００８】
【図１】本考案の全体を示した斜視図である。
【図２】本考案の部品を示した分解斜視図である。
【図３】本考案の断面斜視図である。
【図４】本考案の重量ブロックと止め輪の組合せを示した概略図である。
【図５】本考案において、管状の重量ブロックの位置によって回転頻度及び回転速度を調節する様子を示した概略図である。
【図６】本考案の螺合部品ユニットによる両用構造の部品を示した分解斜視図である。
【図７】本考案の螺合部品ユニットによる高低位置の調整を示した概略図である。
【図８】本考案の実施例２における外部嵌合パイプの下方移動を示した概略図である。
【図９】図８の部品を示した分解図である。
【図１０】本考案の実施例３において、管状の重量ブロックを下方移動させてバネを遮蔽する操作を示した概略図である。
【考案を実施するための形態】
【０００９】
図１から図６までを参照する。本考案の全方向模擬打撃練習機は、支持カップ１と、上接続管２と、下接続管３と、管状の重量ブロック４と、止め輪５と、螺合部品ユニットＡと、上部嵌合パイプＣと、回転部品６と、下部嵌合パイプ７と、台座８と、ストッパーリング９とが組み合わされてなる。支持カップ１は、前後の下縁が球体Ｂ直径の四分の一以下の高さであり且つ上向きに開口した円形の軟質支持カップであるとともに、両側に球体直径の二分の一以上の高さを有する両翼孤片１１・１３が上向きに延伸して設けられる。さらに両翼孤片上端の左右両側には、それぞれ二つの留め片１１１・１１２及び１３１・１３２が適切に延伸して設けられる。また、支持カップ１下方には、さらに嵌め輪１２が延伸して設けられる。上接続管２は、中空管体であるとともに、その上方に支持カップ１下方の嵌め輪１２が挿し込まれて固定される。下接続管３は、中空管体であるとともに、その上方に上接続管２下方部分が挿し込まれて固定される。管状の重量ブロック４は、重厚なブロック体であるとともに、重量ブロック内径孔４０に挿し込まれた下接続管３外径管壁上において任意の位置にスライド移動する。さらに重量ブロック内径孔４０は、重量ブロック下端開口４１が重量ブロック上端開口４２よりもやや大きい円錐形内径管壁をなすことにより、下方に設けられた止め輪５が挿し込まれて固定される。止め輪５は、中空管体であるとともに、止め輪孔５０に挿し込まれた下接続管３外径管壁上において任意の位置にスライド移動する。さらに止め輪５は、上方に複数の傾斜弾性片５１が延伸して設けられることにより、重量ブロック下端開口４１が挿し込まれて緊密に固定される。螺合部品ユニットＡは、ネジ山棒ａ２上にＣ字型係止リングａ１が嵌合されてなる。Ｃ字型係止リングａ１は、外径が歯状面をなすとともに、内径管壁がネジ山をなし、且つＣ字型係止リングａ１外径の円周サイズが下接続管３内径の円周サイズと等しい。上部嵌合パイプＣは、中空管体であるとともに、その上方に螺合部品ユニットＡのネジ山棒ａ２下端が挿し込まれて固定される。さらに、ネジ山棒ａ２上方における円頭ａ２１外径がＣ字型係止リングａ１の内径におけるネジ山管壁ａ１１よりもやや大きいことにより、Ｃ字型係止リングａ１がネジ山棒ａ２上に外れないように係合される。回転部品６は、弾性部品であるとともに、その上端が上部嵌合パイプＣ管内径の下端に挿し込まれて固定される。螺合部品ユニットＡは、その下端が上部嵌合パイプＣ上端に挿し込まれて固定された後、下接続管３下端の管内に挿し込まれる。さらに、螺合部品ユニットＡのＣ字型係止リングａ１における歯状表面ａ１２は、下接続管３内径管壁との接触面において摩擦抵抗力を生じ、螺合部品ユニットＡのネジ山棒ａ２は、ネジ山管壁ａ１１に沿って下方に向かって回転して、ネジ山棒ａ２上の円頭ａ２１をＣ字型係止リングａ１内径におけるネジ山管壁ａ１１内に向かって押し込む。以上により、Ｃ字型係止リングａ１は、下方に向かうとともに接続管３内径管壁方向に拡大して圧迫されて、しっかりと位置固定される。逆に、螺合部品ユニットＡを緩めて下接続管３管内における位置を調整しようとする場合は、逆方向に螺合部品ユニットＡのネジ山棒ａ２を回転させればよい。下部嵌合パイプ７は、中空管体であるとともに、その上方に回転部品６下端が挿し込まれて固定される。台座８は、従来のホームベース形状の固定ブロックであるとともに、中央嵌孔８１に前記下部嵌合パイプ７下端が挿し込まれて固定される。ストッパーリング９は、下接続管３外径上端の開口に周設されるとともに、上接続管２と接続される。
【００１０】
（実施例１）
本考案の実施例において、回転部品６は、上下端が上部嵌合パイプＣ及び下部嵌合パイプ７と接続されるとともに、下部嵌合パイプ７と一体成型されてなる。さらに回転部品６は弾性特性を有するため、上端に接続された支持カップ１内に位置する野球ボールＢが２Ｄ或いは３Ｄの動きを呈して前後左右に往復揺動する効果を生じる。また、ストッパーリング９は、上接続管２の伸展高度を調節するとともに、重量ブロック４と合わせて重心の高低位置を調整制御することにより、球体Ｂが多種の異なる往復揺動速度及び回転頻度を呈する。加えて、支持カップ１は、その両側に上向きに延伸して設けられるとともに球体Ｂ直径の二分の一以上の高さを有する両翼孤片１１・１３上端における四つの留め片１１１・１１２・１３１・１３２によって、球体を留めて往復揺動の遠心力を打ち消すことができる。これにより、往復揺動を安定させ、球体が放り出されることを防止する効果を生じる。
【００１１】
図７を参照する。螺合部品ユニットＡを回転させて緩めたり締めたりする効果を生じることによって、下接続管３の高低位置を調節することができる。下接続管３下端の開口を上部嵌合パイプＣ下端の開口の位置に調節して回転部品６を露出させた時、上端に接続された支持カップ１内に位置する野球ボールＢは、２Ｄ或いは３Ｄの動きを呈して前後左右に往復揺動する効果を生じる。下接続管３下端の開口を下部嵌合パイプ７下端の開口の位置に調節して回転部品６を遮蔽した時、上端に接続された支持カップ１内に位置する野球ボールＢは、制止されて回転効果を生じない。以上の動作により本考案は、使用者が必要に応じて自由に調整可能な、可回転式或いは無回転式という打撃訓練における両用モードを提供することができるため、従来における静止定位置での打撃しかできないという制限を突破し、新規性を備える。
【００１２】
（実施例２）
次に図８及び図９を参照する。本考案の実施例２における全方向模擬打撃練習機は、螺合部品ユニットＡを必要とせず、回転部品６上端が直接下接続管３下端に固定され、回転部品６下端が下部嵌合パイプ７上端に固定され、さらに組み合わされた下接続管３と回転部品６と下部嵌合パイプ７の外径に外部嵌合パイプＤが嵌合される。外部嵌合パイプＤは、中空管体をなすとともに、その内径に下接続管３と回転部品６と下部嵌合パイプ７の外径が嵌入され、且つ下接続管３と回転部品６と下部嵌合パイプ７との間で上下に往復移動して調整制御を行う。さらに外部嵌合パイプＤは、下端の開口内に設けられた止め輪５における傾斜弾性片５１によって、下接続管３外径管壁の適切な位置に固定される。以上の構造に基づき、外部嵌合パイプＤ下端を下接続管３下端の開口の位置に調節して回転部品６を露出させることにより、上端に接続された支持カップ１内に位置する野球ボールＢは、２Ｄ或いは３Ｄの動きを呈して前後左右に往復揺動する効果を生じる。また、外部嵌合パイプＤ下端の開口内に設けられた止め輪５における傾斜弾性片５１を緩めた時、外部嵌合パイプＤ本体の重量によって下部嵌合パイプ７下端の開口の位置まで滑り降りて回転部品を遮蔽する。この時、上端に接続された支持カップ１内に位置する野球ボールＢは、回転効果を生じない。これにより、使用者が必要に応じて自由に調整可能な、可回転式或いは無回転式という打撃訓練における両用モードを提供することができる
【００１３】
（実施例３）
図１０を参照する。本考案の実施例３において、外部嵌合パイプＤは、前述した内径孔を有する管状の重量ブロック４によって代替される。この場合にも、同様に下方移動して回転部品６を遮蔽したり、上方移動して止め輪５の傾斜弾性片５１を下接続管３外径管壁における適切な位置に固定させたりすることにより、重心の高低位置を調整制御して、異なる揺動速度及び回転頻度を生じる効果を有する。
【符号の説明】
【００１４】
１            支持カップ
１１   両翼孤片
１３   両翼孤片
１１１ 留め片
１１２ 留め片
１３１ 留め片
１３２ 留め片
１２   嵌め輪
２            上接続管
３            下接続管
４            重量ブロック
４０   重量ブロック内径孔
４１   重量ブロック下端開口
４２   重量ブロック上端開口
５            止め輪
５０   止め輪孔
５１   傾斜弾性片
６            回転部品
７            下部嵌合パイプ
８            台座
８１   中央嵌孔  
９            ストッパーリング
Ａ            螺合部品ユニット
ａ１   Ｃ字型係止リング
ａ１１ ネジ山管壁
ａ１２ 歯状表面
ａ２   ネジ山棒
ａ２１ 円頭
Ｂ            野球ボール
Ｃ            上部嵌合パイプ
Ｄ            外部嵌合パイプ
【図１】
0003188578.tif 000003
【図２】
0003188578.tif 000004
【図３】
0003188578.tif 000005
【図４】
0003188578.tif 000006
【図５】
0003188578.tif 000007
【図６】
0003188578.tif 000008
【図７】
0003188578.tif 000009
【図８】
0003188578.tif 000010
【図９】
0003188578.tif 000011
【図１０】
0003188578.tif 000012